(57)【要約】【課題】入力ポートと出力ポート間の光接続が解除された状態において、意図しないポートへの光信号の混入を防止する。【解決手段】ポートアレイ１１には、光が通過可能な入力ポート１１ａおよび出力ポート１１ｂ〜１１ｅがＸ方向に配列されている。モニタポート１８は、光が通過可能とされている。分光素子１４は、入力ポート１１ａより入力された光を、Ｙ方向に分光する。偏向素子１６は、駆動条件に応じて分光素子１４により分光された所定の波長成分光を所定の方向に偏向することにより、偏向光を生成する偏向部１６ａ〜１６ｅを有する。駆動条件が、入力ポート１１ａと出力ポート１１ｂ〜１１ｅの光接続を確保する第１条件である場合、偏向光は出力ポート１１ｂ〜１１ｅに導かれる。駆動条件が、入力ポート１１ａと出力ポート１１ｂ〜１１ｅの光接続を解除する第２条件である場合、偏向光はモニタポート１８に導かれる。【選択図】図２
2015026009.tif 000002
【特許請求の範囲】
【請求項１】
光が通過可能な入力ポートおよび出力ポートが第１方向に配列されたポートアレイと、
光が通過可能なモニタポートと、
前記入力ポートより入力された光を、前記第１方向と異なる第２方向に分光する分光素子と、
駆動条件に応じて前記分光素子により分光された所定の波長成分光を所定の方向に偏向することにより、偏向光を生成する偏向部を有する偏向素子とを備え、
前記駆動条件が、前記入力ポートと前記出力ポートの光接続を確保する第１条件である場合、前記偏向光は前記出力ポートに導かれ、
前記駆動条件が、前記入力ポートと前記出力ポートの光接続を解除する第２条件である場合、前記偏向光は前記モニタポートに導かれる、波長選択スイッチ。
【請求項２】
前記第２条件は、前記偏向部を駆動しない状態である、請求項１に記載の波長選択スイッチ。
【請求項３】
少なくとも前記出力ポートと前記モニタポートを通過する光の特性を検出し、当該特性に対応するモニタ信号を出力する検出部を備える、請求項１または請求項２に記載の波長選択スイッチ。
【請求項４】
前記モニタ信号に基づいて前記偏向部を制御する制御部をさらに備え、
前記特性は、前記出力ポートと前記モニタポートを通過する光の強度の総和であり、
前記制御部は、前記強度の総和と、前記入力ポートから入力される光の強度に基づいて、前記分光素子と前記偏向素子における不具合の有無を判断する、請求項３に記載の波長選択スイッチ。
【請求項５】
前記モニタ信号に基づいて前記偏向部を制御する制御部をさらに備え、
前記特性は、前記出力ポートと前記モニタポートを通過する光の波長成分毎の強度であり、
前記制御部は、前記波長成分ごとの強度に基づいて、前記偏向素子の状態を判断する、請求項３に記載の波長選択スイッチ。
【請求項６】
前記モニタポートは、前記入力ポートおよび前記出力ポートとともに前記第１方向に配列されている、請求項１から請求項５のいずれか一項に記載の波長選択スイッチ。
【請求項７】
前記モニタポートは、前記第１方向における配列の端部に配置されている、請求項６に記載の波長選択スイッチ。
【請求項８】
前記モニタポートは、前記入力ポートと前記出力ポートの間に配置されている、請求項６に記載の波長選択スイッチ。
【発明の詳細な説明】
【技術分野】
【０００１】
本発明は、波長選択スイッチに関する。
【背景技術】
【０００２】
波長分割多重方式光通信の分野においては、再構成可能な光アドドロップマルチプレクサ（ＲＯＡＤＭ；Ｒｅｃｏｎｆｉｇｕｒａｂｌｅ  ｏｐｔｉｃａｌ  ａｄｄ  ｄｒｏｐ  ｍｕｌｔｉｐｌｅｘｅｒ）が知られている。この装置においては、互いに異なる複数の波長成分を含む信号光を分光する分光素子と、分光された波長成分光をそれぞれ異なる方向へ偏向する偏向素子を備える波長選択スイッチ（ＷＳＳ；ｗａｖｅｌｅｎｇｔｈ  ｓｅｌｅｃｔｉｖｅ  ｓｗｉｔｃｈ）が用いられる。波長選択スイッチは、光ネットワークを構成する各ノードに配置される。
【０００３】
あるノードまたは経路で障害が発生した場合に、波長選択スイッチは、ネットワーク全体の通信が損なわれないように、障害の発生していないノードまたは経路を経由して信号光を伝送する。このとき通信に関与しない、あるいはできないノードに配置された波長選択スイッチにおいては、入力ポートと出力ポートの間の接続を断つことにより、意図しないネットワークの接続状態が発生しないようにする必要がある。
【０００４】
例えば、特許文献１に記載の波長選択スイッチは、入力ポートと出力ポートを含む複数のポートが配列されたポートアレイを備えている。偏向素子を駆動しない非動作時においては、偏向素子により偏向された光は、ポートアレイに入射しない所定位置へ導かれ、入力ポートと出力ポート間の光接続が断たれるように構成されている。
【先行技術文献】
【特許文献】
【０００５】
【特許文献１】特許第４６５１６３５号公報
【発明の概要】
【発明が解決しようとする課題】
【０００６】
ポートアレイに入射しない所定位置に導かれた光の一部は、波長選択スイッチを構成する光学系を収容する筺体の内壁や各種部品によって反射され、迷光となる場合がある。ポートアレイと偏向素子を結ぶ光路上に配置された光学系に当該迷光が侵入すると、意図しないポートへの光信号の混入が発生する。
【０００７】
よって本発明は、入力ポートと出力ポート間の光接続が解除された状態において、意図しないポートへの光信号の混入を防止する技術を提供することを目的とする。
【課題を解決するための手段】
【０００８】
上記目的を達成するために、本発明がとりうる一態様は、波長選択スイッチであって、
光が通過可能な入力ポートおよび出力ポートが第１方向に配列されたポートアレイと、
光が通過可能なモニタポートと、
前記入力ポートより入力された光を、前記第１方向と異なる第２方向に分光する分光素子と、
駆動条件に応じて前記分光素子により分光された所定の波長成分光を所定の方向に偏向することにより、偏向光を生成する偏向部を有する偏向素子とを備え、
前記駆動条件が、前記入力ポートと前記出力ポートの光接続を確保する第１条件である場合、前記偏向光は前記出力ポートに導かれ、
前記駆動条件が、前記入力ポートと前記出力ポートの光接続を解除する第２条件である場合、前記偏向光は前記モニタポートに導かれる。
【発明の効果】
【０００９】
このような構成によれば、入力ポートと出力ポート間の光接続が解除された状態において、意図しないポートへの光信号の混入を防止しうる。
【図面の簡単な説明】
【００１０】
【図１】本発明の一実施形態に係る波長選択スイッチを模式的に示す図である。
【図２】波長選択スイッチが備える光学系の構成を示す模式図である。
【図３】モニタポートの配置に係る変形例を示す模式図である。
【発明を実施するための形態】
【００１１】
本発明に係る実施形態を列記して説明する。
【００１２】
（１）：波長選択スイッチであって、
光が通過可能な入力ポートおよび出力ポートが第１方向に配列されたポートアレイと、
光が通過可能なモニタポートと、
前記入力ポートより入力された光を、前記第１方向と異なる第２方向に分光する分光素子と、
駆動条件に応じて前記分光素子により分光された所定の波長成分光を所定の方向に偏向することにより、偏向光を生成する偏向部を有する偏向素子とを備え、
前記駆動条件が、前記入力ポートと前記出力ポートの光接続を確保する第１条件である場合、前記偏向光は前記出力ポートに導かれ、
前記駆動条件が、前記入力ポートと前記出力ポートの光接続を解除する第２条件である場合、前記偏向光は前記モニタポートに導かれる。
【００１３】
このような構成によれば、入力ポートと出力ポート間の光接続が解除された状態においても、モニタポートを通じて偏向光を光学系の外部に送ることができる。したがって、ポートアレイに入射しない所定位置に導かれた光の一部が、波長選択スイッチを構成する光学系を収容する筺体の内壁や各種部品によって反射されて迷光となることが防止される。
【００１４】
（２）：（１）に記載の波長選択スイッチであって、前記第２条件は、前記偏向部を駆動しない状態である。
【００１５】
この場合、迷光の発生を抑制し、意図しないポートへの信号光の混入を回避するに際して、電力消費を抑制することができる。
【００１６】
（３）：（１）または（２）に記載の波長選択スイッチであって、少なくとも前記出力ポートと前記モニタポートを通過する光の特性を検出し、当該特性に対応するモニタ信号を出力する検出部を備える。
【００１７】
このような構成によれば、出力ポートとモニタポートを通過する光の特性に対応するモニタ信号に基づいて、容易に波長選択スイッチの動作をモニタできる。
【００１８】
（４）：（３）に記載の波長選択スイッチであって、前記モニタ信号に基づいて前記偏向部を制御する制御部をさらに備え、前記特性は、前記出力ポートと前記モニタポートを通過する光の強度の総和であり、前記制御部は、前記強度の総和と、前記入力ポートから入力される光の強度に基づいて、前記分光素子と前記偏向素子を含む光学系の状態を判断する。
【００１９】
このような構成によれば、例えば波長選択スイッチを構成する光学系における不具合の有無を容易に検出することができる。特に偏向素子を駆動しない状態を第２条件とする場合、偏向素子を駆動することなく光学系の状態を判断することができる。
【００２０】
（５）：（３）に記載の波長選択スイッチであって、前記モニタ信号に基づいて前記偏向部を制御する制御部をさらに備え、前記特性は、前記出力ポートと前記モニタポートを通過する光の波長成分ごとの強度であり、前記制御部は、前記波長成分ごとの強度に基づいて、前記偏向素子の状態を判断する。
【００２１】
このような構成によれば、波長成分毎に光強度を検出することで、例えば当該波長成分に対応した偏向部における不具合の有無を検出できる。特に偏向素子を駆動しない状態を第２条件とする場合、偏向素子を駆動することなく当該偏向素子の状態を判断することができる。
【００２２】
（６）：（１）から（５）のいずれかに記載の波長選択スイッチであって、前記モニタポートは、前記入力ポート及び前記出力ポートとともに前記第１方向に配列されている。
【００２３】
このような構成によれば、モニタポートへ偏向光を導くための偏向素子の構成を簡略化できる。
【００２４】
（７）：（６）に記載の波長選択スイッチであって、前記モニタポートは、前記第１方向における配列の端部に配置されている。
【００２５】
この場合、モニタポートに入射する光が隣接するポートと結合しないように、両ポートの距離を定めることが容易となる。これにより、意図しないポートへの偏向光の結合をより確実に回避できる。また偏向素子を駆動しない状態において偏向光が導かれるモニタポートの配置として好適である。
【００２６】
（８）：（６）に記載の波長選択スイッチであって、前記モニタポートは、前記入力ポートと前記出力ポートの間に配置されている。
【００２７】
この場合、モニタポートへ偏向光を導く際の偏向角を小さくできる。
【００２８】
添付の図面を参照しつつ、本発明に係る実施形態のより具体的な例について以下詳細に説明する。なお以下の説明に用いる各図面では、各部材を認識可能な大きさとするために縮尺を適宜変更している。
【００２９】
図１は、Ｘ方向から見た波長選択スイッチ１の構成を示している。図２は、Ｙ方向から見た波長選択スイッチ１の構成を示している。
【００３０】
図１に示すように、波長選択スイッチ１は、ポートアレイ１１、コリメータアレイ１２、アナモルフィック光学系１３、分光素子１４、集光レンズ１５、および偏向素子１６を備えている。
【００３１】
図２に示すように、ポートアレイ１１は、Ｘ方向に配列された複数のポート１１ａ〜１１ｅを備えている。各ポート１１ａ〜１１ｅには対応する光ファイバ６（図示せず）が接続され、入力ポートまたは出力ポートとして使用される。入力ポートとして使用されるポートは、外部のノードより波長選択スイッチ１に入力される信号光が通過する。出力ポートとして使用されるポートは、外部のノードへ波長選択スイッチ１から出力される信号光が通過する。
【００３２】
いずれのポートを入力ポートまたは出力ポートに割り当てるかは任意である。図２に示す例においては、ポート１１ａが入力ポートに、ポート１１ｂ、１１ｃ、１１ｄ、１１ｅが出力ポートに割り当てられている。
【００３３】
コリメータアレイ１２は、ポートアレイ１１より入力された光を平行光にする光学素子である。例えば回転対称レンズが各ポート１１ａ〜１１ｅに対応してアレイ状に配置されたレンズアレイである。ポートアレイ１１とコリメータアレイ１２により、アレイ光学系が構成されている。
【００３４】
アナモルフィック光学系１３は、コリメータアレイ１２より入力された光を、Ｘ方向とＹ方向とで異なる倍率となるように変換する光学系である。例えば、一対のプリズム１３ａ、１３ｂを含み、光をＹ方向に拡大する。本例においては、Ｙ方向の倍率がＸ方向の倍率よりも大きくなるように構成されている。アナモルフィック光学系１３より出力される光を進行方向から見た断面は、Ｙ方向に扁平な楕円形状となる。
【００３５】
アナモルフィック光学系１３は、出力される光の断面をＹ方向に扁平な楕円形状に変換するものであればよい。即ち、光をＸ方向に縮小するように構成してＹ方向の倍率がＸ方向の倍率よりも大きくなるようにしてもよい。このようなアナモルフィック光学系１３は、一対のプリズムを含む光学系のほか、Ｘ方向またはＹ方向に屈折力を有する光学部品（例えば、シリンドリカルレンズやシリンドリカルミラー）を単独もしくは複数個組み合わせることによって構成してもよい。
【００３６】
分光素子１４は、入力された光をＹ方向に分光する光学素子である。分光素子１４は、例えば透過型の回折格子である。図１に示す例においては、波長λ１、λ２、λ３を含む波長多重光Ｌ０が分光素子１４を通過することにより、各波長成分の光である、波長λ１を含む光Ｌ１、波長λ２を含む光Ｌ２、および波長λ３を含む光Ｌ３に分光される。そして、それらがＹ方向について波長に応じて異なる角度で出力されている。
【００３７】
集光レンズ１５は、分光素子１４と偏向素子１６の間に配置されている。集光レンズ１５は、分光素子１４から出力された各波長成分光を、偏向素子１６へ向けて集光するように構成されている。このとき、アナモルフィック光学系１３においてＹ方向に所定倍率で拡大された光は、集光レンズ１５においては当該倍率でＹ方向に縮小される（または、アナモルフィック光学系１３においてＸ方向に所定倍率で縮小された光は、集光レンズ１５においては当該倍率でＸ方向に拡大される）ことにより、偏向素子１６においてＸ方向の倍率がＹ方向の倍率よりも大きくなるように構成されている。
【００３８】
偏向素子１６は、Ｙ方向に配列された偏向部１６ａ〜１６ｅを有し、分光素子１４により分光された各波長成分光に対応して設けられる。当該偏向部１６ａ〜１６ｅの各々は、各波長成分の光を独立に偏向することにより、偏向光を生成する。図１に示す例においては、偏向部１６ａ、１６ｂ、１６ｃが、それぞれ波長λ１、λ２、λ３を含む各波長成分の光Ｌ１、Ｌ２、Ｌ３が集光される位置に配置されている。
【００３９】
波長選択スイッチ１は、偏向素子１６と通信可能に接続された駆動部１７を備えている。駆動部１７は、偏向光の進行方向を独立に制御する。例えば、駆動部１７は、偏向素子１６の偏向部１６ａ〜１６ｅに対して独立に電気的に接続されており、偏向部１６ａ〜１６ｅに対する印加電圧を制御することで各偏向光の角度を制御する。
【００４０】
偏向部１６ａ、１６ｂ、１６ｃにより偏向された各波長成分の光Ｌ１、Ｌ２、Ｌ３は、それぞれ集光レンズ１５、分光素子１４、アナモルフィック光学系１３、およびコリメータアレイ１２を通過して、ポートアレイ１１に入力される。図２に示す例においては、光Ｌ１はポート１１ｃに、光Ｌ２はポート１１ｄに、光Ｌ３はポート１１ｅに入射する。
【００４１】
上記の例においては、少なくとも波長λ１、λ２、λ３を含む波長多重光Ｌ０（多重化された信号光）が波長選択スイッチ１のポート１１ａに入力され、波長λ１を含む光Ｌ１、波長λ２を含む光Ｌ２、および波長λ３を含む光Ｌ３（分離された信号光）が、それぞれポート１１ｃ、１１ｄ、１１ｅより出力される。
【００４２】
偏向素子１６は、例えばミラーアレイであり、各偏向部１６ａ〜１６ｅは可動ミラーである。各可動ミラーは、例えばＭＥＭＳ（ｍｉｃｒｏ−ｅｌｅｃｔｒｏ−ｍｅｃｈａｎｉｃａｌ  ｓｙｓｔｅｍｓ）ミラーである。この場合、偏向部１６ａはＸ軸及びＹ軸周りに回動可能とされていることが好ましい。残りの偏向部１６ｂ〜１６ｅについても同様である。
【００４３】
なお、偏向素子１６は、ＭＥＭＳミラーに限られるものではない。ＬＣＯＳ（Ｌｉｑｕｉｄ  Ｃｒｙｓｔａｌ  ｏｎ  Ｓｉｌｉｃｏｎ）のような反射型液晶素子や、透過型液晶素子、ＤＭＤ（Ｄｉｇｉｔａｌ  Ｍｉｒｒｏｒ  Ｄｅｖｉｃｅ）といった、印加する電圧によって光路が切り替えられる素子を用いることができる。
【００４４】
図２に示すように、波長選択スイッチ１は、光が通過可能なモニタポート１８を備えている。モニタポート１８は、ポートアレイ１１を形成するポート１１ａ〜１１ｅとともにＸ方向に配列されており、当該配列の端部に配置されている。
【００４５】
波長選択スイッチ１は、入力ポートと出力ポート間の光接続が解除された状態において、各偏向部１６ａ〜１６ｅにより偏向された光（図２において一点鎖線で示す）がモニタポート１８に導かれるように構成されている。そして、モニタポート１８を入射した光は、モニタ光として光学系の外部に取り出される。入力ポートと出力ポート間の光接続が解除された状態は、例えば偏向素子１６を駆動しない状態（電源オフ時など）である。
【００４６】
すなわち入力ポートとして用いられるポート１１ａと出力ポートとして用いられるポート１１ｂ〜１１ｅは、信号光が通過するポートである。モニタポート１８は、モニタ光が通過するポートである。
【００４７】
そして、駆動部１７は、入力ポートと出力ポートの光接続を確保するように偏向素子１６に対する駆動条件を設定する（第１条件）。このとき、偏向光は出力ポートに導かれる。また、駆動部１７は、入力ポートと出力ポートの光接続を解除するように偏向素子１６に対する駆動条件を設定する（第２条件）このとき、偏向光はモニタポート１８に導かれる。
【００４８】
このような構成によれば、入力ポートと出力ポートの光接続が解除された状態においても、モニタポート１８を通じて偏向光を光学系の外部に送ることができる。したがって、ポートアレイ１１に入射しない所定位置に導かれた光の一部が、波長選択スイッチ１を構成する光学系を収容する筺体の内壁や各種部品によって反射されて迷光となることが防止される。その結果、意図しないポートへの光信号の混入を防止しうるので、波長選択スイッチ１の安定した動作を実現できる。
【００４９】
また、図２に示すように、出力ポートとして使用されているポート１１ｂ〜１１ｅの各出力側、およびモニタポート１８の出力側には、検出部１９が接続されている。検出部１９は、ポート１１ｂ〜１１ｅおよびモニタポート１８のそれぞれを通過する光のうち、一部をタップしてその特性を検出可能に構成された装置である。検出部１９は、検出した光の特性に対応するモニタ信号を出力する。
【００５０】
検出部１９は、例えば光強度の総和を検出できるパワーモニタや、波長毎の光強度を検出できるスペクトラムアナライザである。検出部１９は、ビームスプリッタと受光素子を含んで構成することが好ましい。
【００５１】
波長選択スイッチ１は、制御部２０をさらに備えている。制御部２０は、検出部１９から出力されたモニタ信号に基づいて、偏向部１６ａ〜１６ｅを制御するための信号を駆動部１７へ出力する。
【００５２】
検出部１９としてパワーモニタを用いる場合、ポート１１ｂ〜１１ｅおよびモニタポート１８から出力される光強度の総和（光の特性の一例）がモニタされる。制御部２０は、モニタ信号が示す当該光強度の総和と、入力ポートから入力される光の強度に基づいて、波長選択スイッチ１が備える光学系における不具合の有無を容易に検出できる。特に駆動されていない偏向部においても不具合の有無を確実に検出することができる。すなわち、モニタ対象である光強度の総和が所定値から逸脱している場合、光学系に何らかの不具合が発生しており、偏向光の少なくとも一部が所定の出力ポートまたはモニタポートに正しく入射していない状況が考えられる。このような場合において制御部２０は、アラーム信号を出力するように構成されている。
【００５３】
モニタ対象である光強度の総和の所定値としては、例えば入力ポート１１ａから入力される波長多重光Ｌ０の光強度に、モニタ光としてタップされる光強度の比率、および、所定の減衰量を加味した値が適用されうる。各波長成分光は、出力ポート１１ｂ〜１１ｅから出力される際に、波長選択スイッチ１から出力される光を受けるネットワーク機器の受光感度の上限値を考慮して、各出力ポート１１ｂ〜１１ｅにおいて所定の強度に光強度を減衰させて出力されるためである。
【００５４】
また、検出部１９としてスペクトラムアナライザを用いる場合、ポート１１ｂ〜１１ｅおよびモニタポート１８から出力される光の強度が波長成分毎に検出され、より詳細なモニタが可能である。例えば、所定波長成分の光が検出されなくなった場合には、当該波長成分に対応した偏向部に不良が生じたことが分かる。また、偏向部１６ａ〜１６ｅを個別に非動作状態とすることにより、当該非動作状態とされた偏向部に対応する波長成分の偏向光をモニタポート１８に入射させることができる。モニタポート１８を通過する各波長成分の偏向光の強度をモニタすることにより、各波長成分についての光学系のアライメントを行なうことができる。さらに、非動作状態において偏向部１６ａ〜１６ｅのいずれかに不良が生じた場合にも、これを検出することができる。
【００５５】
本実施形態において、モニタポート１８は、ポート１１ａ〜１１ｅのＸ方向における配列の端部に配置されている。このような構成によれば、モニタポート１８に入射する光が隣接するポート１１ｅと結合しないように、両ポート間の距離を定めることが容易となる。これにより、意図しないポートへの偏向光の結合をより確実に回避できる。また入力ポートと出力ポートの光接続を解除した状態において偏向光が導かれるモニタポート１８の配置として好適である。
【００５６】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００５７】
ポートアレイ１１が備える複数のポートのうち、入力ポートとして用いるポートの数、および出力ポートとして用いるポートの数は、上記の実施形態について示した数に限られるものではない。入力ポートと出力ポートとして用いられるポートをそれぞれ少なくとも１つ含む限りにおいて、ポートアレイ１１が備えるポートの数は任意である。
【００５８】
上記の実施形態においては、図３の（ａ）に示すように、ポートアレイ１１をＺ方向から見ると、モニタポート１８がポート１１ａ〜１１ｅとともにＸ方向に配列され、かつ当該Ｘ方向における配列の端部に配列されている。しかしながら、モニタポート１８の配置は本例に限られるものではない。
【００５９】
例えば図３の（ｂ）に示すように、Ｘ方向に配列されたポート１１ａ〜１１ｅからＹ方向にシフトした位置にモニタポート１８を配置してもよい。また、図３の（ｃ）に示すように、入力ポートとして使用されるポート１１ａと出力ポートとして使用されるポート１１ｂの間にモニタポート１８を配置してもよい。
【００６０】
上記の実施形態においては、出力ポートとして使用されるポート１１ｂ〜１１ｅとモニタポート１８に検出部１９が接続されている。しかしながら、入力ポートとして使用されるポート１１ａにも検出部１９を接続し、ポート１１ａに入力される光の強度をさらに検出してもよい。
【００６１】
上記の実施形態においては、偏向部１６ａ〜１６ｅを駆動しない状態において、偏向光がモニタポート１８に導かれる。しかしながら、ポート１１ｂ〜１１ｅのいずれかに偏向光を導くための制御信号とは異なる制御信号を入力した場合（第２条件の一例）、偏向光がモニタポート１８に導かれる構成としてもよい。
【符号の説明】
【００６２】
１：波長選択スイッチ  
１１：ポートアレイ
１１ａ：入力ポート
１１ｂ〜ｅ：出力ポート
１２：コリメータアレイ
１３：アナモルフィック光学系
１３ａ：プリズム
１３ｂ：プリズム
１４：分光素子
１５：集光レンズ
１６：偏向素子
１６ａ〜１６ｅ：偏向部
１７：駆動部
１８：モニタポート
１９：検出部
２０：制御部
Ｌ１：波長λ１を含む光
Ｌ２：波長λ２を含む光
Ｌ３：波長λ３を含む光
【図１】
2015026009.tif 000003
【図２】
2015026009.tif 000004
【図３】
2015026009.tif 000005